(57)【特許請求の範囲】
【請求項１】
上面が開口して平面略長方形とされた物品収容凹部を有するボックス本体と、該ボックス本体に開閉可能に連結された蓋体とよりなるコンソールボックスにおいて、
前記ボックス本体の物品収容凹部内にその長手方向と直交させて缶飲料を寝かして置いた際に、該缶の下側側面にその周方向に離れる２か所で上端が当接する第一リブを、該物品収容凹部の内底面にその長手方向に対して直交し、かつ該長手方向に対して所定間隔で立設するとともに、
前記物品収容凹部の長手方向と平行な二つの長い内壁面の一方に前記缶の一端が当接するようにして該缶を物品収容凹部内に寝かした際に、該缶の他端と先端が接触または接近する第二リブを、前記第一リブ間に所定間隔でしかも前記缶の一端と当接する長い内壁面に向けその反対側の内壁面から突設したことを特徴とする自動車のコンソールボックス。
【請求項２】
請求項１において、物品収容凹部の長手方向に対し直交する短い内壁面とボックス本体の外周側面との間に上面が開口した缶保持部を有することを特徴とする自動車のコンソールボックス。
【請求項３】
請求項１において、物品収容凹部の長手方向と直交する短い内壁面と対面する第一リブの中央部に上下方向に沿う分断部を設けて、前記短い内壁面と第一リブ間に缶を立てて挿入した際に該缶の側面の一部が前記分断部に嵌まるようにしたことを特徴とする自動車のコンソールボックス。
【発明の詳細な説明】
【０００１】
【発明の属する技術分野】
この発明は、自動車のコンソールボックスに関する。
【０００２】
【従来の技術】
従来、自動車内には、運転席と助手席の間に物品収容のためのコンソールボックスが設けられることが多い。そのコンソールボックスは、上面が開口した平面略長方形の物品収容凹部を有するボックス本体と、そのボックス本体にヒンジで開閉可能に連結された蓋体とよりなる。
【０００３】
前記物品収容凹部は、種々のものを収容できるように何等仕切られていないのが一般的である。そのため、缶飲料やカセットテープあるいはコンパクトディスク（ＣＤ）等を、コンソールボックスに入れて走行すると、缶飲料等が転がって互いに衝突したり、コンソールボックスの内壁に衝突する音が発生し、乗員に不快感を与える。また、飲みかけの缶飲料をコンソールボックス内に立てて走行すると、走行時の振動や停車等によって缶飲料が倒れる問題がある。
【０００４】
なお、缶飲料やカセットテープ等についてはコンソールボックスとは別に車内に設ける専用のホルダーやケースが既に知られている。しかし、その缶飲料ホルダーやカセットテープ等のケースは、車内での設置場所に困るのみならず車内を狭くする問題もある。
【０００５】
【発明が解決しようとする課題】
この発明は前記の問題を解決し、缶飲料やカセットテープ等を自動車走行時に転がらないように、しかも効率よく収容できるコンソールボックスを提供しようとするものである。
【０００６】
【課題を解決するための手段】
この発明は、上面が開口して平面略長方形とされた物品収容凹部を有するボックス本体と、該ボックス本体に開閉可能に連結された蓋体とよりなるコンソールボックスにおいて、前記ボックス本体の物品収容凹部内にその長手方向と直交させて缶飲料を寝かして置いた際に、該缶の下側側面にその周方向に離れる２か所で上端が当接する第一リブを、該物品収容凹部の内底面にその長手方向に対して直交し、かつ該長手方向に対して所定間隔で立設するとともに、前記物品収容凹部の長手方向と平行な二つの長い内壁面の一方に前記缶の一端が当接するようにして該缶を物品収容凹部内に寝かした際に、該缶の他端と先端が接触または接近する第二リブを、前記第一リブ間に所定間隔でしかも前記缶の一端と当接する長い内壁面に向けその反対側の内壁面から突設したことを特徴とする。
【０００７】
【発明の実施の形態】
以下添付の図面に従ってこの発明を詳細に説明する。
図１はこの発明の一実施例に係るコンソールボックスの斜視図、図２は同実施例の平面図、図３は図２の３−３断面図、図４は同実施例における使用状態を示す平面図、図５は図４の５−５断面図、図６は同実施例における他の使用状態を示す断面図、図７は他の実施例を示す平面図である。
【０００８】
図１ないし図３に示すこの発明の一実施例のコンソールボックス１０は、ボックス本体１１と蓋体２１とからなる。なお、このコンソールボックス１０は、蓋体２１のヒンジ２２側を自動車内の後部座席へ向けた状態で、自動車のインストルメントパネル（図示せず）下部に連接して設けられる。
【０００９】
ボックス本体１１は、プラスチックからなるもので、平面が略長方形、側面が略台形をしており、上面が開口した物品収容凹部１２とその長手方向Ａ両端に上面の開口した缶保持部１８とを内部に有する。
【００１０】
前記物品収容凹部１２は、缶飲料やカセットテープあるいはコンパクトディスク等を収容するためのもので、平面略長方形からなる。この物品収容凹部１２の寸法は、その長手方向Ａと直交する方向Ｂの幅ｂが、対象とする缶飲料の缶の高さよりも大とされ、また深さ（上下高さ）が蓋体２１を閉じた際にコンパクトディスクまたはカセットテープを立てて収納できる深さとされる。この実施例の物品収容凹部１２は、３５０ｃｃまたは２５０ｃｃ入りの缶飲料を横にして収納できるように、幅ｂが３５０ｃｃまたは２５０ｃｃ入り缶の高さよりも大きい１４５ｍｍ、深さが９０ｍｍ、長さａが２３０ｍｍとされている。なお、３５０ｃｃ入りの缶は、外径が略６５ｍｍ、高さが略１２０ｍｍであり、一方、２５０ｃｃ入りの缶は、外径が略５２ｍｍ、高さが略１２０ｍｍである。
【００１１】
前記物品収容凹部１２の内底面１３には、第一リブ１６と第二リブ１７が形成されている。
第一リブ１６は、このコンソールボックス１０の使用状態を示す図４及び図５に示すように、物品収容凹部１２内にその長手方向Ａと直交させて缶飲料の缶４１，４２を寝かして置いた際に、缶４１，４２の下側側面４１ａ，４２ａの周方向に離れる２か所で缶の下側側面４１ａ，４２ａと当接して該下側側面４１ａ，４２ａを支持し、それにより、自動車走行時に缶４１，４２が転がらないようにするためのものである。符号４１は３５０ｃｃ入りの缶、４２は２５０ｃｃ入りの缶を示す。
【００１２】
前記第一リブ１６は、物品収容凹部１２の内底面１３にその長手方向Ａに対し直交し、かつ該長手方向Ａに対し所定間隔で複数立設されている。この実施例の第一リブ１６は幅ｃが１３０ｍｍ、厚みが２ｍｍ、間隔ｄ（第一リブ１６同士の中心間隔）が缶の直径より小さい３４ｍｍ、高さが６ｍｍからなって、物品収容凹部１２の長手方向Ａに沿う長い内壁面１４，１４から僅か離して形成されている。また、物品収容凹部１２の長手方向Ａに対して直交する短い内壁面１５，１５と、前記長手方向両端の第一リブ１６ａ，１６ａ中心との間隔ｅは３０ｍｍとなっている。
【００１３】
第二リブ１７は、図４に示すように、物品収容凹部１２内にその長手方向Ａと直交させて寝かせて収容した缶４１，４２が、その缶４１，４２の両端４１ｃ，４１ｄ，４２ｃ，４２ｄ方向にスライドしてがたつくのを防ぐため、また、缶４１，４２が配置されない第一リブ１６間にカセットテープやコンパクトディスク４５を立てて保持するためのものである。
【００１４】
この第二リブ１７は、長い内壁面１４，１４の一方１４ａに前記缶４１，４２の一端４１ｃ，４２ｃを当接させて缶４１，４２を物品収容凹部１２内に寝かした際に、該缶４１，４２の他端４１ｄ，４２ｄと先端が接触または接近するように、前記一方の内壁面１４ａ（または１４ｂ）に向けて他方の内壁面１４ｂ（または１４ａ）から突設されている。この実施例の第二リブ１７は、物品収容凹部１２内底面からの高さが１０ｍｍ、内壁面１４ｂ（または１４ａ）からの突出長さが１０ｍｍ、間隔が１２．５ｍｍとされて、第一リブ１６間に２本づつ形成されている。なお、この実施例の第二リブ１７は、その突設される内壁面１４（１４ａまたは１４ｂ）が第一リブ１６の両側で反対となっているが、それに限られるものではなく全て同一側の内壁面から突出するようにしてもよい。
【００１５】
缶保持部１８は、図４及び図５に示すように缶４３を立てて保持するために、ボックス本体１１の長手方向Ａ両端に形成されたもので、特に飲みかけの缶飲料に対し有効なものである。この缶保持部１８は、前記物品収容凹部１２の長手方向Ａに対し直交する前記短い内壁面１５とボックス本体１１の外周側面１１ａとの間の周縁上面１１ｂに、上面が開口した穴形状で形成されている。その缶保持部１８の径は６６ｍｍとなっている。なお、この実施例の缶保持部１８は、ボックス本体１１の長手方向Ａ寸法が大になるのを防ぎ、しかも、物品収容凹部１２の内容積が小さくなるのを防ぐため、図１及び図２に示すように、前記短い内壁１５側で開口１８ａしており、図４に示すように、缶４３を立てて保持した際に缶４３の側面の一部４３ａが、前記内壁面１５の開口１８ａから物品収容凹部１２内に突出するようになっている。また、前記缶保持部１８はボックス本体１１の長手方向Ａ一端のみに設けてもよい。
【００１６】
蓋体２１は前記ボックス本体１１の物品収容凹部１２の蓋として用いられるもので、プラスチックからなり、前記ボックス体１１の上部一端に形成されたヒンジ固定部１１ｃに、ヒンジ２２を介して開閉可能に連結されている。この蓋体２１の深さは、物品収容凹部１２にカセットテープ類を立てて収容した場合でも物品収容凹部１２に蓋をできる寸法が好ましい。
【００１７】
前記構造のコンソールボックス１０は、図４及び図５のように、物品収容凹部１２内の第一リブ１６上に缶４１，４２が寝かせて配置される。その際、缶４１，４２は物品収容凹部１２の長手方向Ａに対して直交する方向Ｂにされるとともに、缶４１，４２の一端４１ｃ，４２ｃが長い内壁面１４，１４の一方１４ａ（または１４ｂ）に当接するようにされ、それによって、缶４１，４２の他端４１ｄ，４２ｄが第二リブ１７の先端と当接または接近するようにされる。
【００１８】
また、缶４１，４２が配置されない第一リブ１６間ではその第一リブ１６と第二リブ１７間、あるいは第二リブ１７間にカセットテープやコンパクトデスク４５が立てて挟持される。その際、カセットテープやコンパクトディスク４５の幅は、缶４１，４２の高さ（寝かした際の長さ）と略同じかそれ以下であるため、カセットテープ類４５の端部と一方の内壁面１４ａ（または１４ｂ）間には隙間Ｓができる。したがって、カセットテープ類４５を取り出す際に前記隙間Ｓに指を差し込むことができ、取り出しを容易に行なえる。さらに、必要に応じて前記缶保持部１８には缶４３が立てて保持される。
【００１９】
前記物品収容凹部１２に寝かせて配置された缶４１，４２は、その周方向に離れる２か所で下側側面４１ａ，４２ａが第一リブ１６と当接して支持されるため、自動車走行時に缶４１，４２が物品収容凹部１２の長手方向に移動するのが防止される。しかも、その缶４１，４２の両端４１ｃ，４２ｃが物品収容凹部１２の長い内壁面１４ａ（または１４ｂ）と第二リブ１７間で保持されるため、自動車の回転等の際に缶４１，４２がその両端方向に大きく移動することがない。さらに、カセットテープやコンパクトディスク４５は前記第一リブ１６と第二リブ１７、あるいは第二リブ１７間で端部が挟持されるため、自動車走行時にがたつくおそれがない。また、前記缶保持部１８に立てて保持された缶４３も確実に保持され、倒れることがない。
【００２０】
なお、前記物品収容凹部１２には缶のみ、あるいはカセットテープ類のみ、または他のものを収容してもよい。図６は、缶４１のみを寝かせて収容した場合を示し、この場合には缶４１を山積みにしても缶４１が転がるおそれがないため、よりたくさんの缶を物品収容凹部１２に収容できる。
【００２１】
図７は他の実施例のボックス本体３１を示す平面図である。この実施例のボックス本体３１は、缶４１を立てて保持するための缶保持部３８を物品収容凹部３２内に設けたもので、その他の構造については、前記図１ないし図６の実施例と同じである。
【００２２】
すなわち、この実施例では、物品収容凹部３２の長手方向Ａと直交する短い内壁面３５と対面する第一リブ３６ａの中央部に上下方向に沿う分断部３９を設けて、前記短い内壁面３５と第一リブ３６ａ間に缶４１を立てて挿入した際に該缶４１の側面の一部が前記分断部３９に嵌まって位置固定されるようにしたのである。それにより、前記缶４１は内壁面３５と第一リブ３６ａ間で確実に挟持され、自動車走行時に倒れないうようになる。この実施例において、前記分断部３９の隙間は４０ｍｍとされ、またその分断部３９が形成された第一リブ３６ａの高さは２０ｍｍからなり、他の寸法は図１ないし図６の実施例と同じである。
なお、前記缶保持部３８は缶４１を保持しない場合、他の物品の収容部として用いることができる。符号３４は長い内壁面、３６は第一リブ、３７は第二リブ、３１ｃは蓋体のヒンジ固定部である。また、内壁面３５に缶４１の側面が嵌まる凹部を設けてもよい。
【００２３】
【発明の効果】
以上図示し説明したように、この発明のコンソールボックスによれば、缶飲料やカセットテープ等を効率よく収容でき、しかも自動車走行時に缶飲料等が転がらないようにできるため、きわめて実用的効果が高い。
【図面の簡単な説明】
【図１】この発明の一実施例に係るコンソールボックスの斜視図である。
【図２】図２は同実施例の平面図である。
【図３】図２の３−３断面図である。
【図４】同実施例における使用状態を示す平面図である。
【図５】図４の５−５断面図である。
【図６】同実施例における他の使用状態を示す断面図である。
【図７】他の実施例を示す平面図である。
【符号の説明】
１０  コンソールボックス
１１  ボックス本体
１２  物品収容凹部
１４  長手方向に沿う長い内壁面
１５  長手方向と直交する短い内壁面
１６  第一リブ
１７  第二リブ
１８  缶保持部
２１  蓋体
【図１】
0003634040.tif 000002
【図２】
0003634040.tif 000003
【図３】
0003634040.tif 000004
【図５】
0003634040.tif 000005
【図４】
0003634040.tif 000006
【図６】
0003634040.tif 000007
【図７】
0003634040.tif 000008